(57)【特許請求の範囲】
【請求項１】
開口を形成する枠体に支持され前記開口を閉塞可能な建具用パネルと、
前記建具用パネルの、見込み方向における一方側の表面に設けられ当該表面の領域より狭い領域を覆う表面部材と、
前記建具用パネルの前記表面における前記表面部材に覆われていない領域に配置され前記表面部材と共に前記建具用パネルの前記表面を覆う弾性部材と、
を有し、
前記弾性部材は、前記建具用パネルに前記表面部材が設けられたパネル体に、
前記表面部材の小口を覆い、前記弾性部材を取り付けるための取付部材を介して取り付けられていることを特徴とする建具用パネル部材。
【請求項２】
請求項１に記載の建具用パネル部材であって、
当該建具用パネル部材は、前記枠体に回動自在に取り付けられ、戸先側が、前記一方側に移動されて開放され、
前記弾性部材は、前記パネル体の前記一方側の下端に設けられていることを特徴とする建具用パネル部材。
【請求項３】
請求項１または請求項２に記載の建具用パネル部材であって、
前記表面部材の前記一方側の表面に沿う方向において、前記弾性部材と隣接する前記取付部材の前記一方側の表面は、前記弾性部材の前記一方側の表面と平坦な面を形成すべく配置されるか、又は、前記弾性部材の前記一方側の表面より他方側に配置されることを特徴とする建具用パネル部材。
【請求項４】
請求項１乃至請求項３のいずれかに記載の建具用パネル部材であって、
前記パネル体は、前記表面部材の端部側であって見込み方向における前記建具用パネルより前記一方側に空隙を有し、
前記取付部材は前記空隙を利用して取り付けられていることを特徴とする建具用パネル部材。
【請求項５】
請求項１乃至請求項４のいずれかに記載の建具用パネル部材であって、
前記取付部材は、前記表面部材の端部を覆うキャップ部材であることを特徴とする建具用パネル部材。
【請求項６】
請求項２乃至請求項５のいずれかに記載の建具用パネル部材であって、
前記弾性部材は、下方に向かって突出する水切部を有していることを特徴とする建具用パネル部材。
【請求項７】
請求項１乃至請求項６のいずれかに記載の建具用パネル部材と、
前記建具用パネル部材を支持する前記枠体と、
を有することを特徴とする建具。
【発明の詳細な説明】
【技術分野】
【０００１】
本発明は、開口を形成する枠体に支持され前記開口を閉塞可能な建具用パネルを有する建具用パネル部材、及び、この建具用パネル部材を有する建具に関する。
【背景技術】
【０００２】
開口を形成する枠体に支持され前記開口を閉塞可能な建具用パネルを有する建具用パネル部材のなかには、ドアの下端部に軟質合成樹脂のような弾性を有する部材を備えた建具用パネル部材がある（例えば、特許文献１参照）。このような建具用パネル部材に備えられた弾性を有する部材は、既存の建具用パネルの下面側や、高さを若干縮めて形成された建具用パネルの下面側に取り付けられている。
【特許文献１】特開平１０−１９６２１７号公報
【発明の開示】
【発明が解決しようとする課題】
【０００３】
しかしながら、上記のような従来の建具用パネル部材にあっては、弾性を有する部材が建具用パネルの下面側に外付けされる場合には、ドアの高さが高くなるため従来の枠体や開口の寸法を変更しなければドアが収まらない畏れがある。また、建具用パネルの高さを縮める場合には建具用パネル自身に加工を施すか、又は、高さを縮めた専用の建具用パネルを別途用意しなければならない。このため、建具用パネルや建具用パネルを取り付ける箇所に加工を施す場合には多大な手間が発生し、また、専用の建具用パネルを別途用意する場合には、在庫の管理が煩雑になり、いずれの場合にもコストが高騰する畏れがあるという課題があった。
【０００４】
本発明は、かかる課題に鑑みてなされたものであり、その目的とするところは、建具用パネルや枠体等を変更することなく、弾性を有する部材を備えることが可能な建具用パネル部材、及び、この建具用パネル部材を有する建具を提供することにある。
【課題を解決するための手段】
【０００５】
かかる目的を達成するために本発明の建具用パネル部材は、開口を形成する枠体に支持され前記開口を閉塞可能な建具用パネルと、前記建具用パネルの、見込み方向における一方側の表面に設けられ当該表面の領域より狭い領域を覆う表面部材と、前記建具用パネルの前記表面における前記表面部材に覆われていない領域に配置され前記表面部材と共に前記建具用パネルの前記表面を覆う弾性部材と、を有し、前記弾性部材は、前記建具用パネルに前記表面部材が設けられたパネル体に、前記表面部材の小口を覆い、前記弾性部材を取り付けるための取付部材を介して取り付けられていることを特徴とする建具用パネル部材である。
【０００６】
このような建具用パネル部材によれば、建具用パネルの一方側の表面に、当該表面の領域を覆うように表面部材と弾性部材とが設けられているので、建具用パネルが支持される枠体にて形成される開口及び建具用パネルの寸法を変更することなく、表面部材と弾性部材を建具用パネル部材に設けることが可能である。このため、表面部材や弾性部材が設けられない建具用パネルと同一の既存の建具用パネルを用いて、表面部材と弾性部材を備えた建具用パネル部材を実現することが可能である。ここで、建具用パネル部材の例としては所謂障子が挙げられ、開き戸、引き戸、折れ戸、回転ドアなどに用いられる障子がいずれも含まれる。
【０００７】
また、弾性部材は、建具用パネルの、表面部材にて覆われていない領域に配置されているので、単に建具用パネルの表面に弾性部材を設けた場合より、表面部材の厚み分だけ弾性部材の表面側への突出量を小さくすることが可能であり、意匠性をより高めることが可能である。ここで、建具用パネルの表面における表面部材に覆われていない領域は、建具用パネルの一方側の表面における縁側の領域であることが望ましい。
【０００８】
また、取付部材を介して、弾性部材をパネル体に容易に取り付けることが可能である。
【０００９】
かかる建具用パネル部材であって、当該建具用パネル部材は、前記枠体に回動自在に取り付けられ、戸先側が、前記一方側に移動されて開放され、前記弾性部材は、前記パネル体の前記一方側の下端に設けられていることが望ましい。
【００１０】
かかる建具用パネル部材であって、前記表面部材の前記一方側の表面に沿う方向において、前記弾性部材と隣接する前記取付部材の前記一方側の表面は、前記弾性部材の前記一方側の表面と平坦な面を形成すべく配置されるか、又は、前記弾性部材の前記一方側の表面より他方側に配置されることが望ましい。
このような建具用パネル部材によれば、表面部材の一方側の表面に沿う方向において弾性部材が隣接する部材の一方側の表面と、弾性部材の一方側の表面とが平坦な面を形成すべく弾性部材が配置された場合には、一方側の表面において弾性部材が隣接する部材と弾性部材との境界部分の段差が小さくなるため、より意匠性を向上させることが可能である。また、隣接する部材の一方側の表面が弾性部材の一方側の表面より他方側に配置された場合には、弾性部材の方が一方側に突出するため、建具用パネル部材の一方側に存在するものに表面部材や建具用パネルが直接衝突することをより防止することが可能である。
【００１１】
かかる建具用パネル部材であって、前記パネル体は、前記表面部材の端部側であって見込み方向における前記建具用パネルより前記一方側に空隙を有し、前記取付部材は前記空隙を利用して取り付けられていることが望ましい。
このような建具用パネル部材によれば、キャップ部材は、パネル体がその端部側に有する、見込み方向における建具用パネルより一方側の空隙を利用して取り付けられるので、建具用パネルの一方側に建具用パネルの端部を覆うキャップ部材を容易に取り付けることが可能である。
【００１２】
かかる建具用パネル部材であって、前記取付部材は、前記表面部材の端部を覆うキャップ部材であることが望ましい。
このような建具用パネル部材によれば、表面部材の端部を覆うキャップ部材を介して弾性部材がパネル体に取り付けられているので、弾性部材を取り付けるためだけの部材を別途設けることなく、表面部材の端部を保護しつつ、容易にかつ安価にパネル体に弾性部材を備えることが可能である。
【００１３】
かかる建具用パネル部材であって、前記弾性部材は、下方に向かって突出する水切部を有していることが望ましい。
【００１４】
また、前記建具用パネル部材と、前記建具用パネル部材を支持する前記枠体と、を有することを特徴とする建具である。
このような建具によれば、建具用パネルの一方側の表面に、当該表面の領域を覆うように表面部材と弾性部材とが設けられている建具用パネル部材を有するので、建具用パネル部材が支持される枠体にて形成される開口及び建具用パネルの寸法を変更することなく、表面部材と弾性部材を建具用パネル部材に設けることが可能である。このため、表面部材や弾性部材が設けられない建具用パネルと同一の既存の建具用パネル及び枠体を用いて、表面部材と弾性部材を備えた建具用パネル部材を有する建具を実現することが可能である。ここで、建具用パネル部材を有する建具の例としては、開き戸、引き戸、折れ戸、回転ドアなどの建具が挙げられる。
【００１５】
また、弾性部材が建具用パネルの、表面部材にて覆われていない領域に配置されているので、単に建具用パネルの表面に弾性部材を設けた場合より、表面部材の厚み分だけ弾性部材の表面側への突出量を小さくすることが可能であり、建具全体としての意匠性をより高めることが可能である。
【発明の効果】
【００１６】
本発明によれば、建具用パネルや枠体を変更することなく、弾性を有する部材を備えることが可能な建具用パネル部材、及び、この建具用パネル部材を有する建具を提供することができるという効果がある。
【発明を実施するための最良の形態】
【００１７】
以下、本発明の一実施形態に係る建具用パネル部材、及び、この建具用パネル部材を有する建具について図面を参照して説明する。本実施形態の建具は、開口を形成する枠体と、枠体に回動自在に支持されて開口を閉塞可能な建具用パネル部材と、を有する建具として、建物に設けられる玄関用の建具を例に挙げて説明する。以下の説明では、建物の外側から見た状態にて上下となる方向を上下方向、及び左右となる方向を左右方向又は見付け方向として説明する。尚、建具用パネル単体や建具用パネル部材単体としての説明であっても、玄関ドアを枠体に取り付けた状態における上下を上下方向として説明する。
【００１８】
本実施形態に係る建具１０は、図１に示すように、躯体に固定され開口を形成する枠体１４と、枠体１４に蝶番１３を介して回動可能に設けられ開口を閉塞可能な建具用パネル部材としての玄関ドア１２とを有している。
枠体１４は、玄関ドア１２の上側に位置する上枠１４ａと、左右に位置する左縦枠１４ｂ及び右縦枠１４ｃと、下枠１５とを有している。  
上枠１４ａ、左縦枠１４ｂ、右縦枠１４ｃ及び下枠１５は、いずれもアルミニウム製の押出成形材である。
【００１９】
下枠１５は、図４に示すように、下枠本体１６と、下枠本体１６に設けられ玄関ドア１２の周縁部が当接されるゴム製のシール部材１７と、下枠本体１６に設けられ下枠本体１６の屋内側の部位を覆う樹脂製の化粧下枠材１８とを有している。
【００２０】
下枠本体１６は、玄関ドア１２の下面と対向する上面部１６ａと、上面部１６ａの屋内側の縁部から上方に延出された鉛直壁部１６ｂと、鉛直壁部１６ｂの屋外側に設けられ屋外側に向かう開口を有しシール部材１７が保持されるシール保持部１６ｃと、鉛直壁部１６ｂの屋内側に設けられ上方に向かう開口を有し化粧下枠材１８が保持される化粧材保持部１６ｄとを有している。
【００２１】
玄関ドア１２は、建具用パネル２０と、建具用パネル２０の、見込み方向における一方側の表面としての屋外側の表面（以下、屋外側表面という）２０ａを覆う表面部材としての化粧部材５０と、開閉する際の操作部となるハンドル３０と、玄関ドア１２の下部に設けられた下部構造体３２とを有している。そして、玄関ドア１２にて開口が閉塞された状態から、図２、図３に示すように、戸先框側に設けられたハンドル３０を屋外側に移動させるように玄関ドア１２を回動させることにより開口が開放される。
【００２２】
本実施形態の建具用パネル２０は、化粧部材５０及び下部構造体３２を備えなくとも枠体にて形成された開口を閉塞することが可能であり、本建具用パネル２０にハンドルが設けられた構成であっても、玄関ドアとして使用することが可能な建具用パネルである。また、本実施形態では、下部構造体３２を、弾性を有する弾性部材としての緩衝材３３と、緩衝材３３を取り付けるための取付部材３４とで構成した例について説明する。
【００２３】
建具用パネル２０は、パネル状の断熱部材２２と、断熱部材２２の周端部を囲むように矩形状に形成された鋼製のフレーム２４と、玄関ドア１２の屋内側及び屋外側の面となる鋼製の表面パネル材２６と、戸先側に固定され枠体１４の左縦枠１４ｂに当接される戸当り部材３１（図２）と、を有している。
【００２４】
フレーム２４は、図４に示すように、建具用パネル２０の中央に向かって開放された溝部が全周に亘って形成された矩形状の枠であり、フレーム２４にて囲まれた領域に断熱部材２２が備えられている。断熱部材２２及びフレーム２４の表裏面側に設けられた表面パネル材２６は、建具用パネル２０の周縁部にて全周に亘って建具用パネル２０の厚み方向における内側に向かってそれぞれ折り曲げられるとともに、リベット４０にてフレーム２４に固定されている。折り曲げられた２枚の表面パネル材２６の端縁２６ａ同士は、建具用パネル２０の厚み方向に間隔を隔てて配置されている。
【００２５】
化粧部材５０は、建具用パネル２０の屋外側表面２０ａに、屋外側表面２０ａの全面となる領域より狭い領域、具体的には屋外側表面２０ａの全領域のうち下端側の領域を除く領域に設けられている。化粧部材５０は、複数の化粧体５２にて構成されている。化粧体５２は、水平断面がほぼ矩形状をなし長手方向に連通する中空部を有するアルミニウム製の押出成形部材である。また、複数の化粧体５２のうち少なくとも２つには、見付け方向のほぼ中央に内部の空間を見付け方向において２つの空間に仕切る仕切り部５２ａが設けられており、仕切り部５２ａの見込み方向における中央部には、後述する下部構造体３２を固定するためのビスが螺合される螺合部５２ｂが形成されている。
【００２６】
各化粧体５２は、長手方向が上下方向に沿うように配置されて、見付け方向に並べて建具用パネル２０の屋外側表面２０ａに、例えば両面テープにて貼り付けられている。各化粧体５２の上端部には、樹脂製の上キャップ３７が嵌合され、上キャップ３７の上縁と建具用パネル２０の上縁とがほぼ水平になるように構成されている。
【００２７】
下部構造体３２は、建具用パネル２０の屋外側表面２０ａであって、化粧体５２に覆われていない領域、すなわち屋外側表面２０ａの全面における下端側の領域を除く領域に位置させて設けられている。下部構造体３２は、弾性変形可能な軟質部材でなる緩衝材３３と、建具用パネル２０の屋外側表面２０ａに貼り付けられた化粧体５２の下側の小口を覆うように設けられ、緩衝材３３が取り付けられる取付部３４ａを有する取付部材３４とで構成されている。また、取付部材３４の戸先側及び吊元側の縁部には当該縁部を覆うキャップ３５（図２）が設けられている。図１及び図２では、吊元側のキャップは省略されている。
【００２８】
玄関ドア１２の下部における下部構造体３２の構造を、図２〜図４を参照して説明する。取付部材３４は、建具用パネル２０の見付け方向における全域に亘るような長さを有するアルミニウム製の成型部材である。
【００２９】
図４に示すように、取付部材３４は、建具用パネル２０の屋外側表面２０ａに設けられた各化粧体５２の下端側の小口に当接される小口当接部３４ｂと、小口当接部３４ｂの建具用パネル側の端部から垂設された垂設壁部３４ｃと、小口当接部３４ｂの反建具用パネル側の端部から垂設された表面垂設壁部３４ｄと、垂設壁部３４ｃから反建具用パネル側に向かって延出されたパネル側延出部３４ｅと、表面垂設壁部３４ｄの下端から建具用パネル側に向かって延出された表面側延出部３４ｆと、表面垂設壁部３４ｄの、小口当接部３４ｂより上方に化粧体５２の反建具用パネル側の下端縁５２ｃを覆うように突出された突起部３４ｇと、を有している。
【００３０】
垂設壁部３４ｃは、上端部と下端部とに建具用パネル側に僅かに突出されて建具用パネル２０に当接される当接突起３４ｈを有している。また垂設壁部３４ｃの下端は、建具用パネル２０の下端とほぼ同じ位置まで設けられている。
【００３１】
表面側延出部３４ｆ及びパネル側延出部３４ｅは、小口当接部３４ｂと下方に間隔を隔てるとともに、垂設壁部３４ｃの下端より十分に高い位置に配置されている。また、表面側延出部３４ｆとパネル側延出部３４ｅとは、ほぼ同じ高さの水平な平面を形成し、表面側延出部３４ｆの先端部とパネル側延出部３４ｅの先端部とは、建具用パネル２０の厚み方向に間隔を隔てて配置されている。
【００３２】
また、取付部材３４には、小口当接部３４ｂ、表面側延出部３４ｆ、パネル側延出部３４ｅ、表面垂設壁部３４ｄ、及び、垂設壁部３４ｃの一部にて、ほぼ囲まれた凹部３４ｍを有する取付部３４ａが形成されており、表面側延出部３４ｆとパネル側延出部３４ｅとの間には見付け方向に沿ってスリット３４ｉが形成されている。そして、化粧部材５０の下側に設けられる緩衝材３３の後述する取付片３３ａがスリット３４ｉを通して凹部３４ｍ内に収容されて緩衝材３３が取付部材３４に取り付けられている。
【００３３】
また、小口当接部３４ｂには、取付部材３４を化粧部材５０に固定するためのビス７０が貫通される貫通孔３４ｊが、化粧部材５０に設けられた螺合部５２ｂの位置に合わせても設けられている。そして、垂設壁部３４ｃより反建具用パネル側であって、表面側延出部３４ｆ及びパネル側延出部３４ｅより下方の領域には、緩衝材３３が取り付けられている。すなわち、緩衝材３３は、建具用パネル２０の下端側であって、建具用パネル２０に化粧部材５０が取り付けられたパネル体５３に取付部材３４を介して取り付けられ、化粧部材５０とともに建具用パネル２０の屋外側表面２０ａを覆っている。
【００３４】
戸先側のキャップ３５ａは、取付部材３４の戸先側の縁部を覆うとともに建具用パネル２０に固定されている戸当り部材３１の下端部を覆っている。戸当り部材３１は、左縦枠１４ｂの外面に当接されるため建具用パネル２０の外表面より外側に設けられている。このため、キャップ３５ａも戸先部分だけ外側に突出されている。戸先側のキャップ３５ａの突出部分３５ｂの下面には、取付部材３４に設けられた取付部３４ａと繋がるように取付部（不図示）が設けられている。
【００３５】
緩衝材３３は、建具用パネル２０の屋外側表面２０ａより屋外側の下端側の領域に設けられており、発泡ウレタンやゴムなどの弾性を有する軟質部材である。また、緩衝材３３は、玄関ドア１２の幅方向に渡ってほぼ全域に設けられる細長いほぼ直方体状の部材であり、取付部材３４と戸先側のキャップ３５ａとの間にて屈曲変形させて取り付けられている。そして、上部には長手方向に沿って、取付部材３４の取付部３４ａ及びキャップ３５の取付部に取り付けられる取付片３３ａが突出されている。
【００３６】
建具用パネル２０に取り付けられた取付部材３４の凹部３４ｍに取付片３３ａが挿入されて緩衝材３３が取り付けられると、緩衝材３３の屋外側の表面３３ｃと、屋外側表面２０ａに沿う方向(ここでは上下方向)において緩衝材３３と隣接する部材としての取付部材３４の屋外側の表面３４ｋとが、平坦な面を形成すべく配置される。ここで、緩衝材３３の屋外側の表面３３ｃと取付部材３４の屋外側の表面３４ｋとには、寸法誤差及び取付誤差等により正確に平坦な面が形成されない場合もあるが、設計寸法上は平坦な面が形成されるべく構成されている。
【００３７】
また、緩衝材３３の下面は、建具用パネル２０の下面とほぼ同じ高さに形成されており、反建具用パネル側の下縁は、僅かに下方に突出された水切部３３ｂが設けられている。
【００３８】
そして、玄関ドア１２が閉じられた状態では、緩衝材３３及び建具用パネル２０が下枠１５の上面部１６ａと上下方向に間隔を隔てて配置されるとともに、建具用パネル２０がシール部材１７に当接されている。
【００３９】
上記実施形態の玄関ドア１２及び建具１０によれば、建具用パネル２０の屋外側表面２０ａに化粧部材５０と緩衝材３３とが設けられているので、建具用パネル２０が支持される枠体１４にて形成される開口及び建具用パネル２０の寸法を変更することなく、化粧部材５０と緩衝材３３を建具用パネル２０に設けることが可能である。このため、枠体と、枠体にて形成される開口を閉塞可能な建具用パネルとが組み合わされた既存の建具の建具用パネルに上記化粧部材５０や緩衝材３３を設けることにより、特別な建具用パネルや枠体を用いることなく、化粧部材５０と緩衝材３３とを備えた玄関ドア１２を有する建具１０を提供することが可能である。また、緩衝材３３は、建具用パネル２０の、化粧部材５０にて覆われていない領域に配置されているので、単に建具用パネル２０の表面２０ａに緩衝材３３を設けた場合より、化粧部材５０の厚み分だけ緩衝材３３の屋外側への突出量を小さくすることが可能である。このため、建具１０及び建具１０が備えられた建物の意匠性をより高めることが可能である。
【００４０】
また、緩衝材３３は取付部材３４を介して建具用パネル２０に取り付けられているので、容易にかつ確実に緩衝材３３を建具用パネル２０に取り付けることが可能である。
【００４１】
また、緩衝材３３の屋外側の表面３３ｃと、緩衝材３３が上下方向において隣接する取付部材３４の屋外側の表面３４ｋとが平坦な面を形成すべく構成されているので、取付部材３４と緩衝材３３との境界部分の段差が小さくなるため、より意匠性を向上させることが可能である。
【００４２】
また、緩衝材３３は建具用パネル２０の屋外側表面２０ａの下端側、すなわち、玄関ドア１２が移動される側（開放される側）の下端側に配置されているので、屋外側（開放方向側から）から玄関ドア１２を開いた際に、玄関ドア１２の下端部、及び、玄関ドア１２を開閉する際に玄関ドア１２の下部周辺に存在するものが損傷することを抑制することが可能である。例えば、玄関ドア１２を開放した際に、玄関ドア１２を操作した者の足と玄関ドア１２の下端とが接触することが万が一生じたとしても、玄関ドア１２の屋外側下端に弾性変形可能な緩衝材３３が設けられている為、操作した者が足を怪我することを防止することが可能である。
【００４３】
上記実施形態においては、緩衝材３３を化粧体５２にビス止めされた取付部材３４に取り付けた例について説明したが、これに限るものではない。以下に緩衝材の異なる取り付け例を説明する。以下の説明においては、上記実施形態と同じ部材には、同符号を付して説明を省略する。
【００４４】
例えば図５に示すように、建具用パネル２０にビス止めされた取付部材６０に弾性を有する緩衝材６２を取り付けても良い。この場合には、取付部材６０は、建具用パネル２０の屋外側表面２０ａに設けられた各化粧体５２の下端側の小口に当接される小口当接部６０ａと、小口当接部６０ａの建具用パネル側の端部から垂設された垂設壁部６０ｂと、垂設壁部６０ｂの下端部から屋外方向に向かって延設された下端延設部６０ｃと、小口当接部６０ａから下方に向かって垂設された屋外側垂設壁部６０ｄと、下端延設部６０ｃの屋外側の端から上方に向かって延出された屋外側延出部６０ｅと、小口当接部６０ａの屋外側の端から上方に化粧体５２の反建具用パネル側の下端縁５２ｃを覆うように突出された突起部６０ｆと、を有している。
【００４５】
屋外側垂設壁部６０ｄ及び屋外側延出部６０ｅは、垂設壁部６０ｂと建具用パネル２０の厚み方向に間隔を隔てて垂設壁部６０ｂと対向する位置に配置されている。また、屋外側垂設壁部６０ｄと屋外側延出部６０ｅとは、ほぼ同じ平面をなすように形成され、屋外側垂設壁部６０ｄの下端部と屋外側延出部６０ｅの上端部とは、上下方向に間隔を隔てて配置されている。すなわち、垂設壁部６０ｂ、屋外側垂設壁部６０ｄ、屋外側延出部６０ｅ、下端延設部６０ｃ、及び、小口当接部６０ａの一部にて、ほぼ囲まれた凹部６０ｉが形成され、屋外側垂設壁部６０ｄと屋外側延出部６０ｅとの間に見付け方向に沿ってスリット６０ｇが形成されている。そして、化粧部材５０の下側に設けられる緩衝材６２の取付片６２ａがスリット６０ｇを通して凹部６０ｉに収容されて緩衝材６２が取付部材６０に取り付けられている。
【００４６】
また、垂設壁部６０ｂには、取付部材６０を建具用パネル２０の下側のフレーム２４に固定するためのビス７０が貫通される貫通孔６０ｈが設けられている。そして、小口当接部６０ａより下側であって、屋外側垂設壁部６０ｄ及び屋外側延出部６０ｅより屋外側の領域には、緩衝材６２が取り付けられている。
【００４７】
また、図６、図７に示すように、建具用パネル２０の屋外側表面２０ａに貼り付けられた各化粧体５２の下端部に、それぞれ下キャップ部材６４を設け、下キャップ部材６４に緩衝材３３を取り付けるための取付部６４ａを備えても良い。すなわち、下キャップ部材６４は、化粧体５２の端部としての小口を覆うキャップ本体６４ｂと、キャップ本体６４ｂの上面に立設され、化粧体５２に嵌合される嵌合部６４ｃと、キャップ本体６４ｂの下面側に見付け方向に沿って設けられたスリット６４ｄと、キャップ本体６４ｂの下方からスリット６４ｄを通って外部と連通し緩衝材３３の取付片３３ａが挿入される凹部６４ｅを有する取付部６４ａとを備えている。そして、建具用パネル２０に複数取り付けられた化粧体５２の各小口から中空部に嵌合部６４ｃを嵌合させて複数の下キャップ部材６４を取り付け、更に、下キャップ部材６４に緩衝材３３を取り付ける。ここで、化粧体５２の中空部は、建具用パネル２０より見込み方向における屋外側の空隙５３ａの一例である。
【００４８】
このように、表面部材の端部としての化粧体５２の小口を覆う下キャップ部材６４を介して緩衝材３３が化粧体５２に取り付けられているので、緩衝材３３を取り付けるためだけの部材を別途設けることなく、化粧体５２の端部を保護しつつ、容易にかつ安価にパネル体５３に緩衝材３３を備えることが可能である。
【００４９】
本実施形態では、緩衝材３３を個々に下キャップ部材６４に取り付けた例について説明したが、１本の緩衝材３３を複数の下キャップ部材６４に跨らせて備えても良い。また、複数の化粧体５２の小口を覆う一体型のキャップ部材（不図示）を備え、この一体型のキャップ部材に緩衝材３３を備えてもよい。また、本実施形態は、各化粧体５２が内部に中空部を備える例について説明したが、化粧部材５０の屋外側の部位と建具用パネル２０との間に形成される空隙を覆うためのキャップ部材であれば化粧体５２及び下キャップ部材６４の形状を限定するものではない。例えば、化粧体が、屋内側が開放され、水平断面が「Ｕ」字状の部材であったとしても、その化粧体を建具用パネルに取り付けた際には、化粧部材の屋外側の部位と建具用パネルとの間には空隙が形成されるので、この空隙を利用して下キャップ部材を設け、この下キャップ部材に緩衝材を設けても良い。このように、キャップ部材は、建具用パネルに化粧部材が設けられたパネル体の、建具用パネルより見込み方向における屋外側の空隙を利用して取り付けられてもよい。また、化粧体の端部の外周部を覆うように、化粧体の端部が挿入される凹部をキャップ部材が有しており、化粧体の端部がキャップ部材の端部に挿入されて取り付けられるキャップ部材であっても良い。この場合には、化粧体が中実の部材の場合であっても取り付けることが可能である。
【００５０】
また、上記実施形態は、いずれも化粧体５２が、長手方向が上下方向に沿わされるとともに見付け方向に並べて配置された例につい説明したが、例えば、図８、図９に示すように、化粧体５４の長手方向を見付け方向に沿わせて、上下方向に並べて配置しても良い。
【００５１】
この場合には、化粧体５４の上縁側に、上側に隣接する化粧体５４と係合するための係合突部５４ａを備え、下縁側には下側に隣接する化粧体５４と係合するための係合部５４ｂを備え、上下方向に隣接する２つの化粧体５４を、上側に位置する化粧体５４の係合部５４ｂに下側に位置する化粧体５４の係合突部５４ａを係合させても良い。このとき最下段に配置される化粧体５４の係合部５４ｂには、係合部５４ｂが有する凹部５４ｄに緩衝材３３の取付片３３ａが挿入されることにより、玄関ドア１２の下端側に緩衝材３３を直接備えることが可能である。
【００５２】
この場合には、化粧部材５０の屋外側の表面に沿う方向において、緩衝材３３と隣接する部材は、最下段に配置される化粧体５４なので、緩衝材３３の屋外側の表面３３ｃと化粧体５４の屋外側の表面５４ｃとが平坦な面を形成すべく構成されている。このため、玄関ドア１２の屋外側の表面は全域がほぼ平坦となり、より意匠性を向上する。ここで、最下段の係合部５４ｂは、弾性部材が取り付けられる弾性部材取付部の一例である。
【００５３】
このような建具１０によれば、緩衝材３３が化粧体５４に直接取り付けられているので、化粧体５４を取り付けるためだけの部材を何ら設けることなく、緩衝材３３を容易にかつ確実に取り付けることが可能である。また、緩衝材を直接パネル体に取り付ける場合には、両面テープなどの接着部材にて貼り付けても良い。また、緩衝材が建具用パネルや化粧部材と一体に成形されていても良い。
【００５４】
上記実施形態においては、緩衝材３３の屋外側の表面３３ｃと、緩衝材３３が上下方向において隣接する取付部材３４の屋外側の表面３４ｋとが平坦な面を形成すべく構成されている例について説明したが、緩衝材３３の屋外側の表面３３ｃと取付部材３４の屋外側の表面３４ｋとが、必ずしも平坦な面を形成する構成でなくてもよい。例えば、取付部材３４の屋外側の表面３４ｋの方が緩衝材３３の屋外側の表面３３ｃより屋内側に位置していても良い。この場合には、玄関ドア１２を開いた際に、玄関ドア１２の下端部、及び、玄関ドア１２を開閉する際に玄関ドア１２の下部周辺に存在するものが損傷することを、より抑制することが可能である。
【００５５】
上記実施形態においては、玄関ドア１２の下端側に緩衝材３３、６２を備えた構成について説明したが、緩衝材を備える位置は、必ずしも下端側に限らない。例えば、建具用パネル２０の吊り元側、又は、戸先側などの建具用パネル２０の周端側の部位に緩衝材を備えることにより、縦枠１４ｂ、１４ｃと、建具用パネル２０の吊り元側及び戸先側の縁部との間に入り込んだものが、挟まれたり損傷したりすることを防止することが可能である。
【００５６】
また、上記実施形態では、建具用パネル２０の、見込み方向における一方側の表面としての屋外側表面２０ａを覆うように緩衝材３３を備えた例について説明したが、玄関ドアを屋内側に移動させて開く場合には、建具用パネルの屋内側表面に緩衝材が設けられていても良い。また、建具用パネルの屋内側と屋外側とにいずれも緩衝材が設けられていても構わない。
【００５７】
上記実施形態においては、玄関に設けられる建具を例に挙げて説明したが、例えば室内外を仕切る扉を有する建具であっても構わない。また、建具用パネル部材を、開き戸である玄関ドアに適用した例について説明したが、建具用パネル部材は開き戸に限らず、引き戸、折れ戸、回転ドアの障子などであっても構わない。これら引き戸、折れ戸、回転ドアなどの障子の場合にも、建具用パネル部材を移動させて開口を開閉する際に建具用パネル部材の下端側をはじめとする縁側の領域周辺に存在するものが損傷することを抑制することが可能である。
【００５８】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【図面の簡単な説明】
【００５９】
【図１】本実施形態に係る建具を屋外側から見た外観図である。
【図２】玄関ドアを開いた状態を示す斜視図である。
【図３】図２に示すＡ部の拡大図である。
【図４】化粧体に取り付けられた緩衝材を説明するための縦断面図である。
【図５】建具用パネルに取り付けられた緩衝材を説明するための縦断面図である。
【図６】下キャップ部材に取り付けられた緩衝材を説明するための斜視図である。
【図７】下キャップ部材に取り付けられた緩衝材を説明するための縦断面図である。
【図８】化粧体が横方向に沿って配置された建具を屋外側から見た外観図である。
【図９】横方向に沿って配置された化粧体に取り付けられた緩衝材を説明するための縦断面図である。
【符号の説明】
【００６０】
１０  建具、１２  玄関ドア、１４  枠体、１５  下枠、
２０  建具用パネル、２０ａ  屋外側表面、
３３  緩衝材、３３ａ  取付片、３３ｃ  表面、
３４  取付部材、３４ａ  取付部、３４ｋ  表面、
５０  化粧部材、５２  化粧体、５３  パネル体、５３ａ  空隙、
５４  化粧体、５４ｂ  係合部、５４ｃ  表面、６０  取付部材、
６２  緩衝材、６２ａ  取付片、６４  下キャップ部材、６４ａ  取付部
【図１】
0004970350.tif 000002
【図２】
0004970350.tif 000003
【図３】
0004970350.tif 000004
【図４】
0004970350.tif 000005
【図５】
0004970350.tif 000006
【図６】
0004970350.tif 000007
【図７】
0004970350.tif 000008
【図８】
0004970350.tif 000009
【図９】
0004970350.tif 000010